(57)【要約】 【課題】  通信回線の強制切断直後の同時的発信に対する再接続等を図る。【解決手段】  携帯端末２２が、無線網１２、交換機１４、公衆網１８、そして無線網２０を介して携帯端末２４と通話しているとき、携帯端末２２側の無線回線に電波障害があって、通話中の通信回線が強制切断されたとき、接続処理部１４ａが両携帯端末の電話番号を記憶装置１４ｂに記憶する。携帯端末２２の発信に応答して接続処理部１４ａが記憶装置１４ｂを検索して電話番号の一致が得られたとき、アナウンス情報記憶手段１６を携帯端末２２に接続する。携帯端末２４から発信があり、接続処理部１４ａが携帯端末２２の状態を検索したとき、携帯端末２２が使用中にあるとき携帯端末２２をアナウンス情報記憶装置１６から切り離して携帯端末２４に再接続する。【選択図】      図１
2006128825.tif 000002
【特許請求の範囲】
【請求項１】
第１の通信端末装置と第２の通信端末装置との間を接続する通信回線の強制切断直後の発信に基づいて切断された前記通信回線を再接続する通信回線切断時の再接続方法であって、
前記強制切断時に、第１及び第２の前記通信端末装置の識別情報を記憶する処理を含むことを特徴とする通信回線切断時の再接続方法。
【請求項２】
第１の通信端末装置と第２の通信端末装置との間を接続する通信回線の強制切断直後の発信に基づいて切断された前記通信回線を再接続する通信回線切断時の再接続方法であって、
前記強制切断側の前記通信端末装置からの発信に基づいて、前記強制切断側の前記通信端末装置をアナウンス情報記憶手段に接続する処理を含むことを特徴とする通信回線切断時の再接続方法。
【請求項３】
第１の通信端末装置と第２の通信端末装置との間を接続する通信回線の強制切断直後の発信に基づいて切断された前記通信回線を再接続する通信回線切断時の再接続方法であって、
前記強制切断時に、第１及び第２の前記通信端末装置の識別情報を記憶し、
前記強制切断直後の前記通信端末装置の発信に基づいて前記識別情報を検索し、
前記識別情報の前記検索により前記強制切断時に通話中であった前記通信端末装置として確認が取れた前記通信端末装置の前記識別情報であって前記強制切断直後に発信した前記強制切断側の前記通信端末装置の識別情報に基づいて、該通信端末装置をアナウンス情報記憶手段に接続し、
前記強制切断側とは反対側の前記通信端末装置の発信に基づいて前記強制切断側の前記通信端末装置の状態を検索し、
検索された前記状態が使用中であるとき前記接続を解除し、
前記識別情報の前記検索により前記強制切断時に通話中であった前記通信端末装置として確認が取れた前記通信端末装置の前記識別情報であって前記強制切断側とは反対側の、前記強制切断直後に発信して来た前記通信端末装置の識別情報に基づいて、前記アナウンス情報記憶手段との接続が解除された前記通信端末装置と前記強制切断側とは反対側の前記通信端末装置とを再接続することを特徴とする通信回線切断時の再接続方法。
【請求項４】
検索された前記状態が発信中であるとき前記状態の検索を繰り返し、
繰り返される前記検索において前記状態が使用中になったとき前記接続を解除して前記再接続を行うことを特徴とする請求項３記載の通信回線切断時の再接続方法。
【請求項５】
検索された前記状態が未使用中であるとき前記強制切断側の前記通信端末装置の呼び出しを行い、
前記呼び出しに対する応答がなかったとき前記状態を再度検索し、
再度の前記検索において前記状態が使用中になったとき前記接続を解除して前記再接続を行うことを特徴とする請求項３記載の通信回線切断時の再接続方法。
【請求項６】
再度の前記検索において前記状態が使用中以外であるとき話中処理又はキャッチホン処理を行うことを特徴とする請求項５記載の通信回線切断時の再接続方法。
【請求項７】
前記アナウンス情報記憶手段の接続は、前記強制切断側の前記通信端末装置による発信から前記接続処理手段の処理上予め必要とされる所定時間の経過時に行われることを特徴とする請求項３、４、５又は６記載の通信回線切断時の再接続方法。
【請求項８】
前記アナウンス情報記憶手段の接続は、前記強制切断側の前記通信端末装置とは反対側の前記通信端末装置による発信後の、前記強制切断側の前記通信端末装置による発信から前記接続処理手段の処理上予め必要とされる所定時間の経過時に行われることを特徴とする請求項３、４、５又は６記載の通信回線切断時の再接続方法。
【請求項９】
前記識別情報は、第1の前記通信端末装置及び第2の前記通信端末装置の電話番号であることを特徴とする請求項１又は３乃至８のいずれか一に記載の通信回線切断時の再接続方法。
【請求項１０】
第１の通信端末装置と第２の通信端末装置との間を接続する通信回線の強制切断直後の発信に基づいて切断された前記通信回線を再接続する通信回線切断時の再接続装置であって、
前記強制切断時に、第１及び第２の前記通信端末装置の識別情報を記憶する記憶手段を含むことを特徴とする通信回線切断時の再接続装置。
【請求項１１】
第１の通信端末装置と第２の通信端末装置との間を接続する通信回線の強制切断直後の発信に基づいて切断された前記通信回線を再接続する通信回線切断時の再接続装置であって、
前記強制切断側の前記通信端末装置からの発信に基づいて、前記強制切断側の前記通信端末装置をアナウンス情報記憶手段に接続する接続手段を含むことを特徴とする通信回線切断時の再接続装置。
【請求項１２】
第１の通信端末装置と第２の通信端末装置との間を接続する通信回線の強制切断直後の発信に基づいて切断された前記通信回線を再接続する通信回線切断時の再接続装置であって、
前記強制切断時に、第１及び第２の前記通信端末装置の識別情報を記憶する記憶手段と、
前記強制切断直後の前記通信端末装置の発信に基づいて前記識別情報を検索する第１の検索手段と、
アナウンス情報を記憶するアナウンス情報記憶手段と、
前記第１の検索手段により前記強制切断時に通話中であった前記通信端末装置として確認が取れた前記通信端末装置の前記識別情報であって前記強制切断直後に発信して来た前記強制切断側の前記通信端末装置の識別情報に基づいて、前記通信端末装置をアナウンス情報記憶手段に接続する第１の接続手段と、
前記強制切断側とは反対側の前記通信端末装置の発信に基づいて前記強制切断側の前記通信端末装置の状態を検索する第２の検索手段と、
該第2の検索手段により検索された前記状態が使用中であるとき前記接続を解除する解除手段と、
前記第１の検索手段により前記強制切断時に通話中であった前記通信端末装置として確認が取れた前記通信端末装置の前記識別情報であって前記強制切断側とは反対側の、前記強制切断直後に発信して来た前記通信端末装置の識別情報に基づいて、前記アナウンス情報記憶手段との接続が解除された前記通信端末装置と前記強制切断側とは反対側の前記通信端末装置とを再接続する第２の接続手段とを備えることを特徴とする通信回線切断時の再接続装置。
【請求項１３】
前記第２の検索手段により検索された前記状態が発信中であるとき前記状態の検索を繰り返す検索反復手段を備え、
該検索反復手段による前記検索において前記状態が使用中になったとき前記解除手段により前記接続を解除して前記第２の接続手段により前記再接続を行うことを特徴とする請求項１２記載の通信回線切断時の再接続装置。
【請求項１４】
前記第２の検索手段により検索された前記状態が未使用中であるとき前記強制切断側の前記通信端末装置の呼び出しを行う呼び出し手段と、
該呼び出し手段による前記呼び出しに対する応答がなかったとき前記状態を再度検索する検索試行手段とを備え、
該検索試行手段による再度の前記検索において前記状態が使用中になったとき前記解除手段により前記接続を解除して前記第２の接続手段により前記再接続を行うことを特徴とする請求項１２記載の通信回線切断時の再接続装置。
【請求項１５】
前記検索試行手段による再度の前記検索において前記状態が使用中以外であるとき話中処理又はキャッチホン処理を行う処理手段を備えることを特徴とする請求項１４記載の通信回線切断時の再接続装置。
【請求項１６】
前記第１の接続手段による前記アナウンス情報記憶手段の接続は、前記強制切断側の前記通信端末装置による発信から前記接続処理手段の処理上予め必要とされる所定時間の経過時に行われることを特徴とする請求項１２、１３、１４又は１５記載の通信回線切断時の再接続装置。
【請求項１７】
前記第１の接続手段による前記アナウンス情報記憶手段の接続は、前記強制切断側の前記通信端末装置とは反対側の前記通信端末装置による発信後の、前記強制切断側の前記通信端末装置による発信から前記接続処理手段の処理上予め必要とされる所定時間の経過時に行われることを特徴とする請求項１２、１３、１４又は１５記載の通信回線切断時の再接続装置。
【請求項１８】
前記識別情報は、第1の前記通信端末装置及び第2の前記通信端末装置の電話番号であることを特徴とする請求項１０又は１２乃至１７のいずれか一に記載の通信回線切断時の再接続装置。
【請求項１９】
第１の通信端末装置及び第２の通信端末装置のうちの少なくとも一方が無線回線を介して交換機に接続され、該交換機は公衆網を介して他方の通信端末装置に接続される通信網の前記交換機に設けられる請求項１０乃至請求項１８のいずれか一に記載の通信回線切断時の再接続装置。
【請求項２０】
第１の通信端末装置及び第２の通信端末装置のいずれも無線網を介して交換機に接続される通信網の前記交換機に設けられる請求項１０乃至請求項１８のいずれか一に記載の通信回線切断時の再接続装置。
【請求項２１】
コンピュータに請求項１乃至９のいずれか一に記載の通信回線切断時の再接続方法を実行させることを特徴とする制御プログラム。
【請求項２２】
コンピュータに請求項１０乃至２０のいずれか一に記載の通信回線切断時の再接続装置を制御させることを特徴とする制御プログラム。
【発明の詳細な説明】
【技術分野】
【０００１】
この発明は、通信回線切断時の再接続方法及びその装置並びにその制御プログラムに関し、詳しくは通話回線の強制切断直後に通信端末装置の双方から同時的に発信が行われてもこれら通信端末装置同士の再接続に役立たせる又は通信端末装置同士を再接続させる通信回線切断時の再接続方法及びその装置並びにその制御プログラムに関する。
【背景技術】
【０００２】
従来の移動通信網、例えば、携帯電話システムにおいて、通話中の無線回線（携帯電話端末装置（以下、携帯端末という）と無線基地局との回線）に電波障害等が発生すると、それまで通話者の携帯端末間に形成されていた通話回線は、その通話回線の設定制御に係っていた交換機の制御により終話処理、すなわち、通話回線の強制切断の処理に進むが、その処理を完結してしまうと上記通話者間の通話が終了していないのにも拘わらず、通話者間の通話は不能となってしまう。
このような場合に、通話者が切断後に互いに通話中であった同じ相手に対して再発信を行って通話の再開を試みること（以下、公知の技術的手段という）が、技術的に可能である。
【０００３】
また、上述のような理由で不能になった通話者間の通話の再開を図る技術的手段、すなわち、無線回線にたとえ上述したような一時的な回線障害が発生したとしても、直ちにそれまでの通話回線を完全な終話に至らせず、可能な限り上述のような一時的な回線障害の回復乃至復旧を待って通話不能に陥っている通話回線の再設定を試行する技術的手段の開発が、従来においても、行われている。
その１つの例が特許文献１に開示されている。
【０００４】
特許文献１に開示されている技術的手段は、上述のような通話不能に陥っている通話回線の再設定、すなわち、一方の携帯端末と他方の携帯端末との再接続を行う技術にあるが、その概要を図１１を用いて説明すれば次のようになる。
図１１に示す携帯端末５２と携帯端末５４との間に、無線局５６、無線基地局５８、交換機６０、交換網６２、交換機６４、無線基地局６６、そして無線局６８を介して通信回線が設定されて通話が行われている最中に、交換機６０が通話中の一方の携帯端末５２からの電波断又は充電切れによる信号断を検出したとき、交換機６０は、交換機６０に接続されるメッセージセンター７０と他方の携帯端末５４とを接続して他方の携帯端末５４からの伝言メッセージをメッセージセンター７０に転送し、その録音をする一方、一方の携帯端末５２の呼び出しを続ける。つまり、一方の携帯端末５２との通話回線は切断されるが、他方の携帯端末５４を切断せずに通話障害の発生原因の消滅を待つ。
【０００５】
一方の携帯端末５２に対し呼び出しを行い、他方の携帯端末５４からの伝言メッセージを録音している最中に、一方の携帯端末５２から呼び出しに対する応答又は呼設定要求信号を交換機６０で受信すると、交換機６０は、コールウェイティングによる割込み要求を呼設定要求信号に編集し、その呼設定要求信号を他方の携帯端末５４に送信する。
割込み要求に対する応答が他方の携帯端末５４から交換機６０に返されてきたとき、交換機６０は、メッセージセンター７０と他方の携帯端末５４とを切り離して一方の携帯端末５２と他方の携帯端末５４とを再接続する。
【０００６】
また、ディジタル移動電話システムにおいて、正常に呼が成立しなかったとき、発信側の携帯電話の電話番号と着信側の携帯電話の電話番号及び着信日時とを記憶してこれらの情報を着信側の携帯電話へ送信する技術が、特許文献２に記載されている。
この技術は、図１２に示すように、発信側の携帯電話８２から基地局８４、交換機８６、ネットワーク８８、交換機９０、基地局９２、そして着信側の携帯電話９４に発信したにも拘わらず、携帯電話９４がサービスエリア外にいるか、電源をオフにしているか、若しくは通話中で呼び出すことができない場合に、発信側の携帯電話８２の電話番号と着信側の携帯電話９４の電話番号及び着信日時とを着信情報格納通知サーバ９６に記憶し、記憶している情報を着信情報格納通知サーバ９６から着信側の携帯電話９４に周期的に送信するようにしたものである。
【０００７】
【特許文献１】特開２００３−２１９４５２号公報
【特許文献２】特開２００１−２５１６８６号公報
【発明の開示】
【発明が解決しようとする課題】
【０００８】
上述した公知の技術的手段において、その互いの再発信が同時に行われると、交換システムにおけるソフトウェアによる発信処理の中で、発信中である相手側の状態から当該相手が発信中であるとの認識、すなわち、互いに相手が話し中であるとの認識をしてしまい、その結果互いの発信は失敗となり、同時的に再発信している発信者間に通話回線を再設定すること、すなわち、発信者間の再接続を行うことはできない。
【０００９】
また、上述したように、特許文献１に開示される通信回線切断時に試行される通信回線の再接続は、その通信回線が不完全に切断されている、すなわち、障害が発生していない通信回線部分の接続を維持しつつ、障害が発生した通信回線部分の障害消滅を条件に行い得るものである。
したがって、特許文献１に開示される技術的手段では、通話中の通信回線が完全な切断に至らしめられない技術的手段を不可欠とし、その例は上述のように構成されている。
【００１０】
また、特許文献２は、通信回線に障害がない状態において、着信側の携帯電話を呼び出せないときに、所定の情報を記憶し、その情報を周期的に着信側の携帯電話に送信し得るに過ぎない。
【００１１】
この発明は、上述の事情に鑑みてなされたもので、通信回線の強制切断直後の同時的発信時に強制切断前の通信端末装置同士を再接続させるのに役立つ通信回線切断時の再接続方法及びその装置並びにその制御プログラムを提供することを目的としている。
この発明の他の目的は、通信回線の強制切断直後の同時的発信時に強制切断前の通信端末装置同士を再接続させ得る通信回線切断時の再接続方法及びその装置並びにその制御プログラムを提供することにある。
【課題を解決するための手段】
【００１２】
上記課題を解決するために、請求項１記載の発明は、第１の通信端末装置と第２の通信端末装置との間を接続する通信回線の強制切断直後の発信に基づいて切断された上記通信回線を再接続する通信回線切断時の再接続方法に係り、上記強制切断時に、第１及び第２の上記通信端末装置の識別情報を記憶する処理を含むことを特徴としている。
【００１３】
請求項２記載の発明は、第１の通信端末装置と第２の通信端末装置との間を接続する通信回線の強制切断直後の発信に基づいて切断された上記通信回線を再接続する通信回線切断時の再接続方法に係り、上記強制切断側の上記通信端末装置からの発信に基づいて、上記強制切断側の上記通信端末装置をアナウンス情報記憶手段に接続する処理を含むことを特徴としている。
【００１４】
請求項３記載の発明は、第１の通信端末装置と第２の通信端末装置との間を接続する通信回線の強制切断直後の発信に基づいて切断された上記通信回線を再接続する通信回線切断時の再接続方法に係り、上記強制切断時に、第１及び第２の上記通信端末装置の識別情報を記憶し、上記強制切断直後の上記通信端末装置の発信に基づいて上記識別情報を検索し、検索して得られた上記識別情報であって上記強制切断直後に発信して来た上記強制切断側の上記通信端末装置の識別情報に基づいて、該通信端末装置をアナウンス情報記憶手段に接続し、上記強制切断側とは反対側の上記通信端末装置の発信に基づいて上記強制切断側の上記通信端末装置の状態を検索し、検索された上記状態が使用中にあるとき上記接続を解除し、検索して得られた上記識別情報であって上記強制切断側とは反対側の、上記強制切断直後に発信して来た上記通信端末装置の識別情報に基づいて、上記アナウンス情報記憶手段との接続が解除された上記通信端末装置と上記強制切断側とは反対側の上記通信端末装置とを再接続することを特徴としている。
【００１５】
請求項４記載の発明は、請求項３記載の通信回線切断時の再接続方法に係り、検索された上記状態が発信中であるとき上記状態の検索を繰り返し、繰り返される上記検索において上記状態が使用中になったとき上記接続を解除して上記再接続を行うことを特徴としている。
【００１６】
請求項５記載の発明は、請求項３記載の通信回線切断時の再接続方法に係り、検索された上記状態が未使用中であるとき上記強制切断側の上記通信端末装置の呼び出しを行い、上記呼び出しに対する応答がなかったとき上記状態を再度検索し、再度の上記検索において上記状態が使用中になったとき上記接続を解除して上記再接続を行うことを特徴としている。
【００１７】
請求項６記載の発明は、請求項５記載の通信回線切断時の再接続方法に係り、再度の上記検索において上記状態が使用中以外であるとき話中処理又はキャッチホン処理を行うことを特徴としている。
【００１８】
請求項７記載の発明は、請求項３、４、５又は６記載の通信回線切断時の再接続方法に係り、上記アナウンス情報記憶手段の接続は、上記強制切断側の上記通信端末装置による発信から上記接続処理手段の処理上予め必要とされる所定時間の経過時に行われることを特徴としている。
【００１９】
請求項８記載の発明は、請求項３、４、５又は６記載の通信回線切断時の再接続方法に係り、上記アナウンス情報記憶手段の接続は、上記強制切断側の上記通信端末装置とは反対側の上記通信端末装置による発信後の、上記強制切断側の上記通信端末装置による発信から上記接続処理手段の処理上予め必要とされる所定時間の経過時に行われることを特徴としている。
【００２０】
請求項９記載の発明は、請求項１又は３乃至８のいずれか一に記載の通信回線切断時の再接続方法に係り、上記識別情報は、第1の上記通信端末装置及び第2の上記通信端末装置の電話番号であることを特徴としている。
【００２１】
請求項１０記載の発明は、第１の通信端末装置と第２の通信端末装置との間を接続する通信回線の強制切断直後の発信に基づいて切断された上記通信回線を再接続する通信回線切断時の再接続装置に係り、上記強制切断時に、第１及び第２の上記通信端末装置の識別情報を記憶する記憶手段を含むことを特徴としている。
【００２２】
請求項１１記載の発明は、第１の通信端末装置と第２の通信端末装置との間を接続する通信回線の強制切断直後の発信に基づいて切断された上記通信回線を再接続する通信回線切断時の再接続装置に係り、上記強制切断側の上記通信端末装置からの発信に基づいて、上記強制切断側の上記通信端末装置をアナウンス情報記憶手段に接続する接続手段を含むことを特徴としている。
【００２３】
請求項１２記載の発明は、第１の通信端末装置と第２の通信端末装置との間を接続する通信回線の強制切断直後の発信に基づいて切断された上記通信回線を再接続する通信回線切断時の再接続装置に係り、上記強制切断時に、第１及び第２の上記通信端末装置の識別情報を記憶する記憶手段と、上記強制切断直後の上記通信端末装置の発信に基づいて上記識別情報を検索する第１の検索手段と、アナウンス情報を記憶するアナウンス情報記憶手段と、上記第１の検索手段により検索して得られた上記識別情報であって上記強制切断直後に発信して来た上記強制切断側の上記通信端末装置の識別情報に基づいて、上記通信端末装置をアナウンス情報記憶手段に接続する第１の接続手段と、上記強制切断側とは反対側の上記通信端末装置の発信に基づいて上記強制切断側の上記通信端末装置の状態を検索する第２の検索手段と、該第2の検索手段により検索された上記状態が使用中であるとき上記接続を解除する解除手段と、上記第１の検索手段により検索して得られた上記識別情報であって上記強制切断側とは反対側の、上記強制切断直後に発信して来た上記通信端末装置の識別情報に基づいて、上記アナウンス情報記憶手段との接続が解除された上記通信端末装置と上記強制切断側とは反対側の上記通信端末装置とを再接続する第２の接続手段とを備えることを特徴としている。
【００２４】
請求項１３記載の発明は、請求項１２記載の通信回線切断時の再接続装置に係り、上記第２の検索手段により検索された上記状態が発信中であるとき上記状態の検索を繰り返す検索反復手段を備え、該検索反復手段による上記検索において上記状態が使用中になったとき上記解除手段により上記接続を解除して上記第２の接続手段により上記再接続を行うことを特徴としている。
【００２５】
請求項１４記載の発明は、請求項１２記載の通信回線切断時の再接続装置に係り、上記第２の検索手段により検索された上記状態が未使用中であるとき上記強制切断側の上記通信端末装置の呼び出しを行う呼び出し手段と、該呼び出し手段による上記呼び出しに対する応答がなかったとき上記状態を再度検索する検索試行手段とを備え、該検索試行手段による再度の上記検索において上記状態が使用中になったとき上記解除手段により上記接続を解除して上記第２の接続手段により上記再接続を行うことを特徴としている。
【００２６】
請求項１５記載の発明は、請求項１４記載の通信回線切断時の再接続装置に係り、上記検索試行手段による再度の上記検索において上記状態が使用中以外であるとき話中処理又はキャッチホン処理を行う処理手段を備えることを特徴としている。
【００２７】
請求項１６記載の発明は、請求項１２、１３、１４又は１５記載の通信回線切断時の再接続装置に係り、上記第１の接続手段による上記アナウンス情報記憶手段の接続は、上記強制切断側の上記通信端末装置による発信から上記接続処理手段の処理上予め必要とされる所定時間の経過時に行われることを特徴としている。
【００２８】
請求項１７記載の発明は、請求項１２、１３、１４又は１５記載の通信回線切断時の再接続装置に係り、上記第１の接続手段による上記アナウンス情報記憶手段の接続は、上記強制切断側の上記通信端末装置とは反対側の上記通信端末装置による発信後の、上記強制切断側の上記通信端末装置による発信から上記接続処理手段の処理上予め必要とされる所定時間の経過時に行われることを特徴としている。
【００２９】
請求項１８記載の発明は、請求項８又は１２乃至１７のいずれか一に記載の通信回線切断時の再接続装置に係り、上記識別情報は、第1の上記通信端末装置及び第2の上記通信端末装置の電話番号であることを特徴としている。
【００３０】
請求項１９記載の発明は、第１の通信端末装置及び第２の通信端末装置のうちの少なくとも一方が無線回線を介して交換機に接続され、該交換機は公衆網を介して他方の通信端末装置に接続される通信網の上記交換機に設けられる請求項１０乃至請求項１８のいずれか一に記載の通信回線切断時の再接続装置であることを特徴としている。
【００３１】
請求項２０記載の発明は、第１の通信端末装置及び第２の通信端末装置のいずれも無線網を介して交換機に接続される通信網の上記交換機に設けられる請求項１０乃至請求項１８のいずれか一に記載の通信回線切断時の再接続装置であることを特徴としている。
【００３２】
請求項２１記載の発明は、通信回線切断時の再接続方法の制御プログラムに係り、コンピュータに請求項１乃至９のいずれか一に記載の通信回線切断時の再接続方法を実行させることを特徴としている。
【００３３】
請求項２２記載の発明は、通信回線切断時の再接続装置の制御プログラムに係り、コンピュータに請求項１０乃至２０のいずれか一に記載の通信回線切断時の再接続装置を制御させることを特徴としている。
【発明の効果】
【００３４】
この発明によれば、第１の通信端末装置と第２の通信端末装置との間を接続する通信回線の強制切断直後の発信に基づく強制切断された通信回線の再接続のために、強制切断時に、第１及び第２の通信端末装置の識別情報を記憶するようにしているから、強制切断された通信回線の再接続に有用な手段を提供することができる。
また、上記再接続のために、上記強制切断時に、強制切断側の通信端末装置をアナウンス情報記憶手段に接続するようにしているから、これも、強制切断された通信回線の再接続に対する有用な手段と成り得る。
【００３５】
また、この発明によれば、通信回線の強制切断時に、通話中にあった通信端末装置の識別情報を記憶し、強制切断の直後の通信端末装置の発信に基づいて記憶されている識別情報を検索し、強制切断側の通信端末装置の識別情報に基づいて当該通信端末装置をアナウンス情報記憶手段に接続する。そして、強制切断側の通信端末装置が使用中状態にあると、これに基づいて上記接続を解除し、上記強制切断側とは反対側の通信端末装置の識別情報に基づいてアナウンス情報記憶手段との接続が解除された通信端末装置と強制切断側とは反対側の上記通信端末装置とを再接続するようにしているから、強制切断された通信回線を介して通話中であった通信端末装置から同時的に発信したとしても、相互に発信中と認識してそれら通信端末装置の再接続を不能に陥らしめてしまうのを回避して一旦途絶えた通話を再開させることができる。
また、通信端末装置からの反復した発信を無くし、接続処理手段の負荷の軽減が図れる。また、通信端末装置の使用者から使用上の煩雑さを取り除くことができる。
【発明を実施するための最良の形態】
【００３６】
この発明は、通信回線の強制切断時に、通話中にあった通信端末装置の識別情報を記憶すること、強制切断の直後の通信端末装置の発信に基づいて記憶されている識別情報を検索すること、強制切断側の通信端末装置の識別情報に基づいて当該通信端末装置をアナウンス情報記憶手段に接続すること、強制切断側の通信端末装置が使用中状態にあるときこれに基づいて上記接続を解除すること、及び上記強制切断側とは反対側の通信端末装置の識別情報に基づいてアナウンス情報記憶手段との接続が解除された通信端末装置と強制切断側とは反対側の上記通信端末装置とを再接続することを活用して構成される。
【実施例１】
【００３７】
図１は、この発明の実施例１である、電話通信網に構築される通信回線切断時の再接続装置の電気的構成を示す図、図２は、同再接続装置の無線回線障害時の動作順序を示すタイムチャート、図３は、電話通信網で生起する第１の例の同時発信時における再接続装置の動作順序を示すタイムチャート、図４は、電話通信網で生起する第２の例の同時発信時における再接続装置の動作順序を示すタイムチャート、図５は、電話通信網で生起する第３の例の同時発信時における再接続装置の動作順序を示すタイムチャート、図６は、同再接続装置における電話番号を記憶する処理手順を示すフローチャート、図７は、同再接続装置におけるアナウンス情報記憶装置を接続する処理手順を示すフローチャート、図８は、同再接続装置における第１及び第２の例の同時発信での処理手順を示すフローチャート、また、図９は、同再接続装置における第３の例の同時発信での処理手順を示すフローチャートである。
【００３８】
この実施例の通信回線切断時の再接続装置１は、電波障害等で通話回線が強制切断された直後に、通話中だった発信者と着信者の双方から同時的な発信が行われたとしても、接続処理において許容し得る限度において当該発信者と着信者との間の再接続を行い得る装置に係り、図１に示すように、交換機１４とアナウンス情報記憶装置１６とから概略構成されている。
その強制切断時の再接続装置１の交換機１４には、無線網（基地局を含む）１２を介して携帯電話端末装置（以下，携帯端末という）２２が接続され、また、公衆網１８、そして無線網２０を介して携帯端末２４が接続される。
なお、携帯端末２４が、固定電話端末装置（以下、固定端末という）である場合には、無線網２０を介することなく、その固定端末２４は、公衆網１８に直接接続される構成となる。
【００３９】
無線網１０は、これに所属する携帯端末２２と交換機１４との間を接続する通信網である。
交換機１４は、接続処理部１４ａ及び記憶装置１４ｂを有して構成される。接続処理部１４ａは、無線網１２及び公衆網１８からの呼（発信）の接続処理を行う処理実行手段である。記憶装置１４ｂは、発信者番号リスト３４ａと着信者番号リスト３４ｂとを記憶する装置で、発信者電話番号及び着信者電話番号を、それぞれ発信登録電話番号及び着信登録電話番号として、対応する発信者番号リスト３４ａ及び着信者番号リスト３４ｂに記憶する。発信者番号リスト３４ａ及び着信者番号リスト３４ｂの接続処理部１４ａによる読み出しは、それぞれ対応する電話番号で行う。
【００４０】
接続処理部１４ａで行われる上記接続処理は、図６乃至図９に示すフローチャートの処理手順をプログラムにより逐次的に実行して進行されるように構成されている。
すなわち、そのプログラムは、接続処理部１４ａを構成する不揮発性の記憶装置に記憶され、接続処理部１４ａを構成するプロセッサ（ＣＰＵ）によってそのメモリに読み出されてプロセッサで実行されることによって図６乃至図９の処理手順が遂行されるようにして接続処理部１４ａは構成されている。
そして、接続処理部１４ａでの処理の中で記憶装置１４ｂに記憶されている記憶内容は、一定時間の間とされ、その時間経過後にはその記憶内容は消去される。
【００４１】
アナウンス情報記憶装置（以下、アナウンスともいう）１６は、交換機１４に接続され、交換機１４の読み出し制御の下に予め記憶して置いたアナウンス情報を再生する装置である。
公衆網１８は、交換機１４と無線網２０からの呼の接続を行う通信網である。
無線網２０は、これに所属する携帯電話端末装置２４と公衆網１８との間を接続する通信網である。
【００４２】
次に、図１乃至図９を参照して、この実施例の動作について説明する。
通信回線切断時の再接続装置が構築されている電話通信網(図１)において、図２に示すように、公知の通話回線の設定手順により携帯端末２２と携帯端末２４との間に通話回線が設定されて両者間で通話が行われる（図２の２０１）。この場合の通話回線の設定は、携帯端末２２が携帯端末２４へ発信して行われるものとする。
その両者間での通話中に、携帯端末２２が使用している無線回線の状態悪化、例えば、電波障害により使用中の通話回線が上記電話通信網において公知の手順により強制切断されると（図２の２０２）、交換機１４の接続処理部１４ａは、強制切断を引き起こした側の携帯端末２２の電話番号１１（図には明示せず）を発信登録電話番号として記憶装置１４ｂの発信者番号リスト３４ａに記憶し、相手側の携帯端末（固定端末）２４の電話番号２１（図には明示せず）を着信登録電話番号として着信者番号リスト３４ｂに記憶する（図２の２０３、図６のＳ６１）。
なお、記憶装置１４ｂに記憶された電話番号は、一定時間経過後に消去される。
【００４３】
電話番号１１及び電話番号２１が一定時間記憶されている間に、携帯端末２２及び携帯端末２４の使用者が、接続処理部１４ａの処理上同時的発信として取り扱われる発信(以下、単に同時発信という)を行ったとする。この同時発信が電話通信網に生起する態様の例について、それらの態様における接続処理部１４ａの動作順序とその処理手順について以下順次説明する。
【００４４】
強制切断側の携帯端末２２から発信し、接続処理部１４ａが携帯端末２２にアナウンス情報記憶装置１６を接続するのに要する時間（この時間を接続処理部１４ａの処理上予め必要とされる所定時間という）だけ経過した後に携帯端末２４から発信があって両発信に対する再接続を行う態様の発信（同時発信の第１の例）があるとき、接続処理部１４が携帯端末２２の発信処理を先に実行する場合（図３の３０１）について説明する。
接続処理部１４ａは、携帯端末２２の発信処理において、この場合の発信元の携帯端末２２の電話番号１１と着信先の携帯端末２４の電話番号２１とで記憶装置１４ｂを検索する（図３の３０３、図７のＳ７１）。その検索で発信元の携帯端末２２も着信先の携帯端末２４も強制切断時の携帯端末であるとの確認、すなわち、強制切断直後の発信電話番号と対応する発信登録電話番号との一致及び着信電話番号と対応する着信登録電話番号との一致が得られたとき（図７のＳ７２のＹ）、発信して来て一致が取れた電話番号１１の携帯端末２２をアナウンス情報記憶装置１６と接続して使用中状態にする（図３の３０４、図７のＳ７３）。
なお、図７のフローチャートに示す処理は、携帯端末２２から発信があったときのみ行われる。
【００４５】
上記の検索において、上述の電話番号の一致が得られないとき（図７のＳ７２のＮ）、携帯端末２２が別の相手（携帯端末２４以外の加入者）への発信であるか、又は携帯端末２４への発信であっても、強制切断から一定時間が経過して記憶装置１４ｂの内容が消去されたとして、発信先への通常の接続処理を行う（図７のＳ７４）。
また、携帯端末２２をアナウンス情報記憶装置１６と接続したが（図７のＳ７３）、携帯端末２４から発信がなく、携帯端末２４との接続ができなかったとき、又は携帯端末２２をアナウンス情報記憶装置１６と接続して使用中状態となってから一定時間が経過したとき、携帯端末２２とアナウンス情報記憶装置１６との接続を切り離して（図７のＳ７４）携帯端末２４への通常の接続処理を行う（図７のＳ７５）。
【００４６】
上述の使用中状態にすることにより、以下に説明するように同時発信の状態を回避して再接続の処理を進行させることが可能になる。
携帯端末２２のアナウンス情報記憶装置１６への接続処理後に、携帯端末２４から発信があって（図３の３０２）携帯端末２２の電話番号１１と携帯端末２４の電話番号２１とで記憶装置１４ｂを検索する（図３の３０５、図８のＳ８１）。なお、図８のフローチャートは、携帯端末２４から見た処理についてのものである。
この電話番号の検索において、電話番号の一致が得られないなら（図８のＳ８２のＮ）、携帯端末２４が別の相手（携帯端末２２以外の加入者）との通話に入っているか、又は携帯端末２２への発信であっても強制切断から一定時間が経過して記憶装置１４ｂの内容が消去されたとして、発信先への通常の接続処理を行う（図８のＳ８１２）。
【００４７】
上記検索において電話番号の一致が得られたとき（図８のＳ８２のＹ）、携帯端末２２の状態を検索する（図３の３０６、図８のＳ８３）。検出された状態が使用中であったなら（図３の３０６、図８のＳ８４の使用中）、携帯端末２２がアナウンス情報記憶装置１６と接続中であるか否かの判定を行う（図８のＳ８５）。
接続中であったなら（図８のＳ８５のＹ）、アナウンス情報記憶装置１６と接続中の携帯端末２２の通話経路を、電話番号検索で着信登録電話番号との一致が得られた電話番号の携帯端末２４との通話経路に切り替え（図３の３０７、図８のＳ８６）、携帯端末２２と携帯端末２４との再接続を行って携帯端末２２と携帯端末２４との間の通話を再開する（図３の３０８、図８のＳ８７）。
【００４８】
携帯端末２２の状態が使用中として検索されたが（図８のＳ８４の使用中）、その携帯端末２２がアナウンス情報記憶装置１６と接続されていなかった場合には（図８のＳ８５のＮ）、携帯端末２２は携帯端末２４以外の携帯端末又は固定端末と通話中であるとして、携帯端末２２の状態を話中処理（話中音を流す処理）を行うか（図８のＳ８８）、又は携帯端末２２がキャッチホンサービスに加入しているなら、通常のキャッチホン処理を行う（図８のＳ８８）。
【００４９】
携帯端末２４の発信が携帯端末２２に先行し、かつ、携帯端末２２の発信が携帯端末２４の発信直後に行われた場合に、接続処理部１４ａが携帯端末２２にアナウンス情報記憶装置１６を接続するのに要する時間（この時間を接続処理部１４ａの処理上予め必要とされる所定時間という）だけ経過した後両発信に対する再接続を行う態様の発信（同時発信の第２の例）があるとき、接続処理部１４ａが携帯端末２４の発信処理（図４の４０１）を携帯端末２２の発信処理（図４の４０２）よりも先に実行する場合について説明する。
【００５０】
接続処理部１４ａは、携帯端末２４からの発信に基づいて、携帯端末２２の電話番号１１と携帯端末２４の電話番号２１とを記憶装置１４ｂから検索する（図４の４０３、図８のＳ８１）その検索で電話番号の一致が得られたとき（図８のＳ８２のＹ）、携帯端末２２の状態を検索する（図８のＳ８３）。
【００５１】
携帯端末２２の状態がその発信中にあるならば（図４の４０４、図８のＳ８４の発信中）、携帯端末２４の発信処理を一旦中止し、かつ、携帯端末２２をアナウンス情報記憶装置１６に接続して（図７の処理）使用中状態になる時刻まで（携帯端末２２の発信時刻から携帯端末２２が使用中状態になる時刻までの時間の間）待機する（図４の４０５、図８のＳ８１１、Ｓ８３、Ｓ８４のループ）。
この待機中に、携帯端末２２の状態検索を行い（図８のＳ８３）、その状態が使用中になったなら（図４の４０８、図８のＳ８４の使用中）、アナウンス情報記憶装置１６と接続中の携帯端末２２の通話経路を、携帯端末２４からの発信に基づいて行われた電話番号検索で着信登録電話番号との一致が得られた電話番号の携帯端末２４との通話経路に切り替え（図４の４０９、図８のＳ８５のＹ、Ｓ８６）、携帯端末２２と携帯端末２４との再接続を行って携帯端末２２と携帯端末２４との間の通話を再開する（図４の４１０、図８のＳ８７）。
【００５２】
携帯端末２４が携帯端末２２に先行して発信し、その後に携帯端末２２が発信して来た場合に、接続処理部１４ａが携帯端末２２にアナウンス情報記憶装置１６を接続するのに要する時間（この時間を接続処理部１４ａの処理上予め必要とされる所定時間という）だけ経過した後に両発信に対する再接続を行う態様の発信（同時発信の第３の例）があるとき、接続処理部１４が携帯端末２４の発信処理を先に実行する場合（図５の５０１）について説明する。
この同時発信の処理手順を示す図９の処理手順のうちの、図９の処理手順Ｓ９１乃至Ｓ９９、Ｓ９１１及びＳ９１２は、図８の処理手順Ｓ８１乃至Ｓ８９、Ｓ８１１及びＳ８１２と同じである。なお、図９のフローチャートは、携帯端末２４から見た処理についてのものである。
【００５３】
接続処理部１４ａが携帯端末２４の発信処理に入って携帯端末２２の電話番号１１と携帯端末２４の電話番号２１とで記憶装置１４ｂを検索する（図５の５０２、図９のＳ９１）。その検索で電話番号の一致が得られたとき（図９のＳ９２のＹ）、携帯端末２２の状態を検索する（図５の５０３、図９のＳ９３）。
【００５４】
検出された状態が未使用中であるという検出直後に（図５の５０３、図９のＳ９４の未使用中）、携帯端末２２から発信があった状態（図５の５０４）において、接続処理部１４ａから携帯端末２２に対して呼び出しを掛けたとしても（図５の５０５、図９のＳ９９）、既に発信中である携帯端末２２はその呼び出しに対して応答を返して来ない（図５の４０６）。
そこで、上記応答の有無判定を行う（図９のＳ９１３）。この判定が肯定であるとき（図９のＳ９１３のＹ）、それは通常の着信側の応答であり、携帯端末２２と携帯端末２４とを接続して両端末間の通話を再開させる（図９のＳ９２０）。この処理は、携帯端末２２の発信が遅かった、又は発信していなかった場合の処理となる。
【００５５】
これに対して、携帯端末２２が呼び出しに先立って発信しており、応答を返して来ない状態にあると（図９のＳ９１３のＮ）、接続処理部１４ａは、再度携帯端末２２の状態検索を行う（図９のＳ９１４）。
この検索に先立つ携帯端末２２から発信があるとき、接続処理部１４ａは、図７に示す処理手順に従ってアナウンス情報記憶装置１６を携帯端末２２に接続する。
携帯端末２２の状態が使用中となっているならば（図５の５０７、図９のＳ９１５の使用中）、携帯端末２２をアナウンス情報記憶装置１６との接続から、携帯端末２４からの発信に基づいて行われた電話番号検索で着信登録電話番号との一致が得られた電話番号の携帯端末２４との接続へ切り替えて（図５の５０８、図９のＳ１１７）両端末間の通話を再開させる（図５の５１０、図９のＳ９１８）。
【００５６】
携帯端末２２の状態が使用中として検索されたが（図９のＳ９１５の使用中）、その携帯端末２２がアナウンス情報記憶装置１６と接続されていなかった場合には（図９のＳ９１６のＮ）、携帯端末２２は携帯端末２４以外の携帯端末又は固定端末と通話中であるとして、携帯端末２２の状態を話中処理（話中音を流す処理）を行うか（図９のＳ９１９）、又は携帯端末２２がキャッチホンサービスに加入しているなら、通常のキャッチホン処理を行う（図９のＳ９１９）。
【００５７】
また、携帯端末２２の状態が未使用中となっているならば（図９のＳ９１５の使用中以外）、携帯端末２２の状態が未使用中として検索された場合には、上記応答を返して来ない原因が電波の受信状態が悪い等にあるとして通常の無応答処理を行う（図９のＳ９２１）。
また、携帯端末２２の状態が発信中であった場合には（図９のＳ９１３の使用中以外）、通常での呼び出しに対する携帯端末２２の無応答（図９のＳ９１３のＮ）を検出するのに要する時間よりも、携帯端末２２をアナウンス情報記憶装置１６へ接続するのに要する時間の方が短いと考えられ、携帯端末２２の発信に対する処理の方が先行した処理となるから、発信中にある状態の携帯端末２２は、携帯端末２４とは別の端末に対して発信しているものとして、通常の無応答処理を行う（図９のＳ９２１）。
【００５８】
このように、この実施例の構成によれば、発信者と着信者との間に通話回線が設定されて通話が行われている最中に、その無線回線に回線障害が発生して通話回線の強制切断が行われたとき、接続処理部が発信者電話番号と着信者電話番号とを記憶する。強制切断直後に、上記回線障害が回復して強制切断前に通話中にあった発信者と着信者とから同時的発信が行われるとき、それらの発信に対する発信処理を接続処理部がその処理上で決まる順番で、かつ、その順番に応じて決まる再接続処理を行うようにしたので、たとえ強制切断となり通話不能となった電話端末同士から同時的発信が行われたとしても、それらの電話端末間の再接続を行うことができる。
この再接続が可能になることにより、電話端末の使用者が反復した発信を行う必要は無くなり、したがって、接続処理部の負荷の軽減が図れる。また、電話端末の使用者から使用上の煩雑さを取り除くことができる。
【実施例２】
【００５９】
図１０は、この発明の実施例２である、電話通信網に構築される強制切断時の再接続装置の電気的構成を示す図である。
この実施例の構成が、実施例１のそれと大きく異なる点は、通話相手となる携帯端末が同一の無線網に接続され、それらの携帯端末同士の通話中に強制切断された場合にも、それら携帯端末同士の再接続を行い得るようにした点である。
すなわち、この実施例の強制切断情報の再接続装置１Ａは、図１０に示すように、携帯端末２２が無線網１２、そして交換機１４を介して携帯端末２６に接続される電話通信網の交換機１４に構築される。
この構成以外のこの実施例の構成は、実施例１と同じであるので、同一の構成部分には同一の参照符号を付して、その逐一の説明は省略する。
【００６０】
次に、図１０を参照して、この実施例の動作について説明する。
この実施例の動作は、実施例１において説明した携帯端末２４を携帯端末２６に置き換えて実施例１における動作説明を参照すれば、自ずから明らかになるので、この実施例の動作についてその概要を説明するに留め、その逐一の動作の説明は繰り返さない。
【００６１】
例えば、携帯端末２２と携帯端末２６との間に通話回線が設定され、その両者間で通話中にあるとき、その通話回線のうちの携帯端末２２側の無線回線の電波障害等で設定されている通信回線が強制切断されるとき、通話中にあった携帯端末２２、２６の電話番号が記憶装置１４ｂに記憶される。
強制切断の直後の携帯端末２２からの発信に基づいて記憶されている電話番号が検索される。
【００６２】
強制切断側の携帯端末２２対応の電話番号に基づいてアナウンス情報記憶装置１６を携帯端末２２に接続する。
そして、強制切断側の携帯端末２２が使用中状態にあると、これに基づいて上記接続を解除した後、携帯端末２６の電話番号に基づいてアナウンス情報記憶装置１６との接続が解除された携帯端末２２と携帯端末２６とを再接続する。
【００６３】
このように、この実施例は実施例１とほぼ同じようにして構成されているから、実施例１と同効が得られる。
【００６４】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記実施例においては、携帯端末２２に無線回線がある例について説明したが、携帯端末２４側の回線障害により強制切断が発生した場合にも、同等にこの発明を実施し得る。この場合、携帯端末２４を制御する交換機における処理は、上記実施例の交換機１４の処理を行うことになり、上記実施例における携帯端末２２、２４についての説明は入れ替わる。
また、上記実施例では携帯端末が電話番号を用いる場合について説明したが、携帯端末が将来的に電話番号でなく、他の識別情報、例えば、ＩＰアドレス等を持つようになった場合でも、同等に実施し得る。
また、携帯端末は、移動体通信システムにおける通話可能な端末装置である場合にも、この発明を実施し得る。
【図面の簡単な説明】
【００６５】
【図１】この発明の実施例１である、電話通信網に構築される通信回線切断時の再接続装置の電気的構成を示す図である。
【図２】同再接続装置の無線回線障害時の動作順序を示すタイムチャートである。
【図３】電話通信網で生起する第１の例の同時発信時における再接続装置の動作順序を示すタイムチャートである。
【図４】電話通信網で生起する第２の例の同時発信時における再接続装置の動作順序を示すタイムチャートである。
【図５】電話通信網で生起する第３の例の同時発信時における再接続装置の動作順序を示すタイムチャートである。
【図６】同再接続装置における電話番号を記憶する処理手順を示すフローチャートである。
【図７】同再接続装置におけるアナウンス情報記憶装置を接続する処理手順を示すフローチャートである。
【図８】同再接続装置における第１及び第２の例の同時発信での処理手順を示すフローチャートである。
【図９】同再接続装置における第３の例の同時発信での処理手順を示すフローチャートである。
【図１０】この発明の実施例２である、電話通信網に構築される通信回線切断時の再接続装置の電気的構成を示す図である。
【図１１】従来の通話中切断時のメッセージ録音システムの電気的構成図である。
【図１２】従来の着信情報格納システムの電気的構成図である。
【符号の説明】
【００６６】
１、１Ａ      強制切断時の再接続装置
１２、２０      無線網
１４      交換機
１４ａ      接続処理部（第１の検索手段、第１の接続手段、第２の検索手段、解除手段、第２の接続手段、）
１４ｂ      記憶装置（記憶手段）
１６      アナウンス情報記憶装置（アナウンス情報記憶手段）
１８      公衆網
２２、２４、２６      携帯端末（通信端末装置）
【図１】
2006128825.tif 000003
【図２】
2006128825.tif 000004
【図３】
2006128825.tif 000005
【図４】
2006128825.tif 000006
【図５】
2006128825.tif 000007
【図６】
2006128825.tif 000008
【図７】
2006128825.tif 000009
【図８】
2006128825.tif 000010
【図９】
2006128825.tif 000011
【図１０】
2006128825.tif 000012
【図１１】
2006128825.tif 000013
【図１２】
2006128825.tif 000014